【事件の表示】
　特許第２８３２７４７号「写真用自動現像機」の特許に対する特許異議の申立てについて、次のとおり決定する。
【結　論】
　訂正を認める。
　特許第２８３２７４７号の請求項１ないし３に係る特許を維持する。
【理　由】
１．手続きの経緯
　本件特許第２８３２７４７号は、平成２年８月１７日に特許出願され、平成１０年１０月２日にその特許の設定登録がなされ、その後、異議申立人中森繁雄より特許異議の申立てがなされ、取消理由通知がなされ、その指定期間内である平成１１年１１月２日に訂正請求（後日取下げ）がなされ、その後、再度取消理由通知がなされ、その指定期間内である平成１２年４月１４日に訂正請求がなされたものである。
１．１　異議申立ての概要
　異議申立人中森繁雄は、甲第１号証（特開昭６３−１００４６０号公報）、甲第１号証の２（特開平１−１８０５４８号公報）、甲第１号証の３（特開平１−２６３６５４号公報）、甲第１号証の４（特開昭４７−３３６３８号公報）、甲第２号証（特開昭６２−２５７１６５号公報）、甲第３号証（特開昭６２−３８４６５号公報）、甲第４号証（特開平２−６７５５６号公報）及び甲第４号証の２（特開昭６１−１３４７５９号公報）を提示し、本件請求項１に係る発明は、甲第１号証又は甲第１号証の２又は甲第１号証の３に記載された発明であるから、特許法第２９条１項第３号の規定により特許を受けることができないものであり、また、本件請求項１に係る発明は、甲第１号証〜甲第３号証に記載された発明に基いて容易に発明できたものであるから、特許法第２９条２項の規定により特許を受けることができないものである。
　さらに、本件請求項２〜５に係る発明は、甲第１号証〜甲第４号証の２に記載された発明に基いて容易に発明できたものであるから、特許法第２９条２項の規定により特許を受けることができないものである。
　従って、本件請求項１〜５に係る発明の特許を取消すべき旨主張している。
１．２　異議申立人中森繁雄が提示した甲第１号証の内容
　甲第1号証には、第1頁右下欄第7〜8行目に、「本発明は、感光材料の処理方法およびそれに用いる処理装置に関し、」と記載され、従来技術として、第1頁右下欄第12〜14行目に、「露光済みの感光材料、例えば感光性平版印刷版（以下、ＰＳ版と称す）やカラー校正用あるいはマスク用非銀塩フィルムを多数枚処理する場合」と記載され、また、第2頁右上欄第1５〜20行目に、本発明は従来技術を改良した処理方法および処理装置に関するものである旨記載されている。
　第5頁右下欄第5〜7行目には、「第1図において、1は現像部、2は水洗部、3はリンス処理またはガム引を行うリンス処理・ガム引き部である。」と記載されている。
　第5頁右下欄第8〜18行目には、第1図に示された符号6はシャワーパイプ、符号9は現像液供給部材であり、第1の現像ゾーンへ送られてきた画像露光されたPS版は、シャワーパイプ6でその版面に現像液が注がれた後、現像液供給部材9で塗布される旨記載されている。
　第6頁右上欄第14〜同左下欄第12行目には、　「第2図において、40は実質的に未使用の現像液をPS版4に施す現像液供給部材、41は補充されかつ繰り返し使用される現像液を入れる現像液槽である。PS版4は、搬送ローラ対42により搬送され、現像液槽41内の現像液内に入り、該現像液で現像される。PS版4は現像液槽41内でガイドローラ44の下部を通り搬送され、該現像液から出て現像液供給部材40によって実質的に未使用の現像液が巾手方向に亙って一様に塗布され、PS版4は塗布された液膜をほぼ保持して搬送され、ブラシローラ46で版面がこすられ、この過程で該現像液によって現像され、次いで、スクイーズローラ対47で現像液スクイーズされ、現像が終了する。
　ここでは、現像液41内の現像液にPS版が浸漬したときから現像液供給部材40によって現像液が版面に供給される直前までが第1の現像ゾーンであり、現像液供給部材40によって現像液が版面に供給されてからスクイーズローラ対47で現像液がスクイーズされるまでが第2の現像ゾーンである。」と記載されている。
１．３　異議申立人中森繁雄が提示した甲第１号証の２の内容
　甲第1号証の2には、第4頁左上欄第13〜20行目に、「本発明に使用される自動現像装置はPS版を搬送する方式のもので現像ゾーンについては通常の水平搬送型で現像液スプレー、ブラシ等を設けたものが用いられるが、特に、デップ現像ゾーンを有するものが好ましい。さらに必要に応じて水洗ゾーン(ため水循環を含む)、リンスゾーン、不感脂化ゾーン及び乾燥ゾーンを有することが出来る。」と記載されている。
　第1図に示されたAは現像ゾーン、Bはリンスゾーンで、図面にはPS版を現像ゾーンでは現像タンク11の現像液に浸漬し、その後、非浸漬状態で処理する技術が示唆されている。
１．４　異議申立人中森繁雄が提示した甲第１号証の３の内容
　甲第1号証の3には、第1頁左下欄下から第2行目〜同右下欄第12行目に、「感光材料を用いた印刷版特にPS版の現像装置は、第4図に示すように、フレーム1に各機能が収納され、ジャッキボルト13を介して床に据付けられている。そしてPS版等の印刷版101が挿入台102から供給され、搬送ローラ2A、2Bに挟持されガイドローラ2Cに保持されながら搬送されシャワーパイプ3によって、現像液が印刷版表面に浴びせられてブラシローラ5により更に濡れ面の感光層の膨潤溶解剥離を容易にすることにより現像を進行させ、そして次の水洗工程に搬送され、シャワーパイプによる水流を浴びせられて水洗され、次のリンス部においてゴム状ガム液又はリンス液が印刷版表面に塗られ該表面が保護されて現像処理を終わり回収されるようにしてある。」と記載されている。
　第2頁右下欄第3〜14行目には、「次に浅底式のディップ現像槽部50にて、搬送中の印刷版はローラ15にガイドされて浸漬現像されブラシローラ5にて濡れ面の感光層の膨潤、溶解、剥離を容易にすることにより現像を促進させながら次工程の水洗工程に搬送されシャワーパイプ3A,3Cによる水流を浴びて水洗され、次のガム工程又はリンス塗布工程に進み、表面をガム液又はリンス液にて被覆され印刷版表面が、傷等の障害から保護されるようにする。そして図示していないが乾燥工程を経て現像処理が終り回収されるようになっている。」と記載されている。
１．５　異議申立人中森繁雄が提示した甲第１号証の４の内容
　甲第１号証の４の特許請求の範囲第1項には、「陽極処理された表面の細孔中に感光性組成物を含有する陽極処理されたアルミニウムの処理方法において、アルミニウムが写真のように露出される段階と、生成された像が現像剤、停止剤および定着剤を収容する分離された液浴での連続的処理により、現像され、停止され、更に定着される段階を包含し、更に停止浴および定着剤を適用する間、前記陽極処理槽の表面を洗滌する段階の改良法を包含し、現像工程の間に形成された金属銀の粒子が前記陽極処理された表面から離脱し、しかも後者の現像工程で印刷に現れないことを特徴とする陽極処理されたシートメタルに像を生成させる方法。」と記載されている。
　第3頁右上欄第8〜11行目には「101、102および103の各ロールは、前記ストリップが現像剤、写真の停止浴および定着浴をもって連続的に処理される時に、一連の浴の一つに部分に浸漬される。」と記載されている。また、同左下欄第3〜6行目には、「現像剤タンク24中の現像剤、タンク26中の短時間停止剤並びにタンク8の定着剤の液水準は各タンク毎に通常の方法によるスタンドパイプ25、27および29によって調整される。」と記載されている。
　第1図、第3図には現像剤タンク24による現像は浸漬方式で、定着剤タンク28による定着は非浸漬方式にて処理する構成が示されている。
　第3頁右下欄第1〜3行目には、「該ストリップの上下表面ともに抽出水を噴霧状に掛けられるスプレーすすぎ42を通って前進し」と記載されている。
１．６　異議申立人中森繁雄が提示した甲第２号証の内容
　甲第2号証には、第1頁左下欄第15〜19行目に、「本発明は、露光済みの感光材料、例えば写真フィルム、写真印画紙等のハロゲン化銀写真感光材料を現像液・漂白定着液・安定液等の処理液によって自動的に現像処理する自動現像処理する自動現像処理装置に関するものである。」と記載されている。
　第1頁右下欄第1〜7行目には、「一般に感光材料自動現像処理装置は、撮影済みの写真感光材料を現像処理したのち乾燥処理するもので、特に、シート状の写真感光材料たとえばカラー印画紙、直接撮影用Xレイフィルム、印刷用フィルム等では、処理装置の小型化と、安定した処理と、容易な操作性と、清掃メインテナンスの容易性とが望まれる。」と記載されている。
　第11図、第12図はこの発明の従来の装置で、第2頁右上欄第17〜19行目には「現像処理部40は、(1)第1現像槽41、第2現像槽42、漂白定着槽43、第1安定槽44、第2安定槽45の各処理槽、…」と記載されている。
　第11図には現像槽41,42、漂白定着槽43、安定槽43,44の各処理槽で感光材料を浸漬方式で処理する装置が示されている。
　第1図〜第9図には第1、第2の現像部100、200の塗布ロール101,201、漂白定着部400の塗布ロール401及び第1、第2塗布ロール501,601により各処理液を塗布する技術が示されている。
１．７　異議申立人中森繁雄が提示した甲第３号証の内容
　甲第3号証には、第2頁右下欄第8〜15行目に、「本発明の装置は、一般用黒白ネガフィルム、黒白反転フィルム、X-レイフィルム、マイクロフィルム、複写用フィルム、直接ポジフィルム、印刷用フィルム、グラビアフィルム、などの黒白フィルムのほか、カラーペーパー、黒白ペーパー、反転カラーペーパー、カラーポジフィルム、カラーネガフィルム、などのカラー写真感光材料を処理する場合にも適用できる。」と記載されている。
１．８　異議申立人中森繁雄が提示した甲第４号証の内容
　甲第4号証には、第3頁右上欄第16行目〜同左下欄第15行目に、「本発明では、上記スリット状処理路に現像液、漂白液、漂白定着液、定着液、水洗水、安定液等を充填し、その間を露光済のハロゲン化銀感光材料を通過させて現像処理を行う。尚、現像液としては、黒白現像液、発色現像液（反転カラー現像液も含む)があげられる。本発明のスリット現像方法として具体的には、次の工程が例示される。
(1)現像-漂白定着-水洗-乾燥
(2)現像-漂白定着-安定化-乾燥
(3)現像-漂白-定着-水洗-乾燥
(4)現像-漂白-定着-安定化-乾燥
(5)現像-漂白-定着-水洗-安定化-乾燥
(6)現像-漂白定着-水洗-安定化-乾燥
(7)黒白現像-水洗-反転-カラー現像-水洗-漂白-定着-水洗-安定化
上記処理工程において現像と漂白の間に水洗を設けることができる。さら必要にに応じて停止、調整、中和などの工程を適宜設けることができる。尚、黒白感光材料の場合には、上記(3)〜(5)において、漂白工程と安定化工程を除くことができる。」と記載されている。
１．９　異議申立人中森繁雄が提示した甲第４号証の２の内容
　甲第4号証の2には、ハロゲン化銀写真感光材料の自動現像機に関する技術が示されている。
　第8頁右上欄〜第9頁左上欄に(1)〜(17)の種々な処理工程で現像する技術が示されている。
２．訂正の適否について
２．１　訂正請求の内容
　本件訂正請求は、本件特許第２８３２７４７号の明細書（以下、「特許明細書」という。）を、平成１２年４月１４日付訂正請求書に添付した訂正明細書のとおりに、訂正しようとするものである。
２．１．１　訂正事項
訂正事項a
　特許明細書の請求項1「現像ないし発色現像処理を浸漬方式で行い、これより後の工程の処理を非浸漬方式で行うことを特徴とする写真用自動現像機。」を、「カラーペーパーの現像ないし発色現像処理を浸漬方式で行い、これより後の工程の液処理を非浸漬方式で行い、乾燥処理を行うことを特徴とする写真用自動現像機。」と訂正する。
訂正事項b
　特許明細書の請求項2「発色現像処理を浸漬方式で行い、漂白定着処理(又は漂白処理、定着処理)を非浸漬方式で行うことを特徴とする写真用自動現像機。」を、「カラーペーパーの発色現像処理を浸漬方式で行い、漂白定着(又は漂白処理、定着処理)を非浸漬方式で行い、乾燥処理を行うことを特徴とする写真用自動現像機。」と訂正する。
訂正事項c
　特許明細書の請求項3「発色現像処理を浸漬方式で行い、漂白定着処理(又は漂白処理、定着処理)及び安定化処理を非浸漬方式で行うことを特徴とする写真用自動現像機。」を、「カラーペーパーの発色現像処理を浸漬方式で行い、漂白定着(又は漂白処理、定着処理)及び安定化処理を非浸漬方式で行い、乾燥処理を行うことを特徴とする写真用自動現像機。」と訂正する。
訂正事項d
　特許明細書の請求項4を削除する。
訂正事項e
　特許明細書の範囲の請求項5を削除する。
訂正事項f
　特許明細書の請求項6「写真感光材料の入口側に、処理済み写真感光材料の出口を設けると共に、両者の高さをほぼ同等としたことを特徴とする請求項1〜5のいずれかに記載の写真用自動現像機。」を、「カラーペーパーの入口側に、処理済みカラーペーパーの出口を設けると共に、両者の高さをほぼ同等としたことを特徴とする請求項1〜3のいずれかに記載の写真用自動現像機。」と訂正し、請求項４とする。
訂正事項g
　特許明細書第5頁下から第6行目〜第6頁第12行目の「[課題を解決するための手段]
　本発明の写真用自動現像機は、（１）現像ないし発色現像処理を浸漬方法で行い、これより後の工程の処理を非浸漬方式で行うこと、（２）発色現像処理を浸漬方式で行い、漂白定着処理(又は漂白処理、定着処理)を非浸漬方式で行うこと、（３）発色現像処理を浸漬方式で行い、漂白定着処理(又は漂白処理、定着処理)及び安定化処理を非浸漬方式で行うこと、（４）白黒現像処理を浸漬方式で行い、定着処理を非浸漬方式で行うこと、（５）白黒現像処理を浸漬方式で行い、定着処理及び安定化処理を非浸漬方式で行うこと、（６）写真感光材料の入口側に、処理済み写真感光
材料の出口を設けると共に、両者の高さをほぼ同等としたこと、を特徴とする。
[実施例］」を、
「[課題を解決するための手段]
　本発明の写真用自動現像機は、（１）カラーペーパーの現像ないし発色現像処理を浸漬方法で行い、これより後の工程の液処理を非浸漬方式で行い、乾燥処理を行うこと、（２）カラーペーパーの発色現像処理を浸漬方式で行い、漂白定着処理(又は漂白処理、定着処理)を非浸漬方式で行い、乾燥処理を行うこと、（３）カラーペーパーの発色現像処理を浸漬方式で行い、漂白定着処理(又は漂白処理、定着処理)及び安定化処理を非浸漬方式で行い、乾燥処理を行うこと、（４）カラーペーパーの入口側に、処理済みカラーペーパーの出口を設けると共に、両者の高さをほぼ同等としたこと、を特徴とする。
[実施例]」
と訂正する。
２．２　訂正後の特許請求の範囲
請求項1
「カラーペーパーの現像ないし発色現像処理を浸漬方式で行い、これより後の工程の液処理を非浸漬方式で行い、乾燥処理を行うことを特徴とする写真用自動現像機。」
請求項2
「カラーペーパーの発色現像処理を浸漬方式で行い、漂白定着(又は漂白処理、定着処理)を非浸漬方式で行い、乾燥処理を行うことを特徴とする写真用自動現像機。」
請求項3
「カラーペーパーの発色現像処理を浸漬方式で行い、漂白定着(又は漂白処理、定着処理)及び安定化処理を非浸漬方式で行い、乾燥処理を行うことを特徴とする写真用自動現像機。」
請求項4
「カラーペーパーの入口側に、処理済みカラーペーパーの出口を設けると共に、両者の高さをほぼ同等としたことを特徴とする請求項1〜3のいずれかに記載の写真用自動現像機。」
３．　訂正の適否
３．１　目的該当性等について
３．１．１　訂正事項ａ
　上記訂正事項ａは、訂正前の請求項1「現像ないし発色現像処理を浸漬方式で行い、これより後の工程の処理を非浸漬方式で行うことを特徴とする写真用自動現像機。」を、下位概念である「カラーペーパーの現像ないし発色現像処理を浸漬方式で行い、これより後の工程の液処理を非浸漬方式で行い、乾燥処理を行うことを特徴とする写真用自動現像機。」と訂正するものであるから、特許請求の範囲の減縮にあたる。
　そして、上記訂正事項ａは、特許明細書又は図面に直接的に記載されたものであるし、また、訂正前の各発明の目的の範囲内のものであるから、実質上特許請求の範囲を変更するものでもない。
３．１．２　訂正事項ｂ
　上記訂正事項ｂについては、訂正前の請求項2「発色現像処理を浸漬方式で行い、漂白定着処理(又は漂白処理、定着処理)を非浸漬方式で行うことを特徴とする写真用自動現像機。」を、下位概念である「カラーペーパーの発色現像処理を浸漬方式で行い、漂白定着(又は漂白処理、定着処理)を非浸漬方式で行い、乾燥処理を行うことを特徴とする写真用自動現像機。」と訂正するものであるから、特許請求の範囲の減縮にあたる。
　そして、上記訂正事項ｂは、特許明細書又は図面に直接的に記載されたものであるし、また、訂正前の各発明の目的の範囲内のものであるから、実質上特許請求の範囲を変更するものでもない。
３．１．３　訂正事項ｃ
　上記訂正事項ｂについては、訂正前の請求項3「発色現像処理を浸漬方式で行い、漂白定着処理(又は漂白処理、定着処理)及び安定化処理を非浸漬方式で行うことを特徴とする写真用自動現像機。」を、下位概念である「カラーペーパーの発色現像処理を浸漬方式で行い、漂白定着(又は漂白処理、定着処理)及び安定化処理を非浸漬方式で行い、乾燥処理を行うことを特徴とする写真用自動現像機。」と訂正するものであるから、特許請求の範囲の減縮にあたる。
　そして、上記訂正事項ｃは、特許明細書又は図面に直接的に記載されたものであるし、また、訂正前の各発明の目的の範囲内のものであるから、実質上特許請求の範囲を変更するものでもない。
３．１．４　訂正事項ｄ、ｅ
　上記訂正事項ｄ，ｅについては、訂正前の請求項4及び5を削除するものであるから、特許請求の範囲の減縮にあたる。
３．１．５　訂正事項ｆ
　上記訂正事項ｆについては、訂正前の請求項6を請求項4に繰り上げ、訂正前の請求項6「写真感光材料の入口側に、処理済み写真感光材料の出口を設けると共に、両者の高さをほぼ同等としたことを特徴とする請求項1〜5のいずれかに記載の写真用自動現像機。」を、下位概念である「カラーペーパーの入口側に、処理済みカラーペーパーの出口を設けると共に、両者の高さをほぼ同等としたことを特徴とする請求項1〜3のいずれかに記載の写真用自動現像機。」と訂正するものであるから、特許請求の範囲の減縮にあたる。
　そして、上記訂正事項ｆは、特許明細書又は図面に直接的に記載されたものであるし、また、訂正前の各発明の目的の範囲内のものであるから、実質上特許請求の範囲を変更するものでもない。
３．１．６　訂正事項ｇ
　上記訂正事項ｇについては、訂正前の特許明細書第5頁下から第6行目〜第6頁第12行目の「[課題を解決するための手段]
　本発明の写真用自動現像機は、（１）現像ないし発色現像処理を浸漬方法で行い、これより後の工程の処理を非浸漬方式で行うこと、（２）発色現像処理を浸漬方式で行い、漂白定着処理(又は漂白処理、定着処理)を非浸漬方式で行うこと、（３）発色現像処理を浸漬方式で行い、漂白定着処理(又は漂白処理、定着処理)及び安定化処理を非浸漬方式で行うこと、（４）白黒現像処理を浸漬方式で行い、定着処理を非浸漬方式で行うこと、（５）白黒現像処理を浸漬方式で行い、定着処理及び安定化処理を非浸漬方式で行うこと、（６）写真感光材料の入口側に、処理済み写真感光
材料の出口を設けると共に、両者の高さをほぼ同等としたこと、を特徴とする。
[実施例］」を、訂正事項ａ〜ｆに伴い、請求項の記載と発明の詳細な説明の記載を整合させるため、「[課題を解決するための手段]
　本発明の写真用自動現像機は、（１）カラーペーパーの現像ないし発色現像処理を浸漬方法で行い、これより後の工程の液処理を非浸漬方式で行い、乾燥処理を行うこと、（２）カラーペーパーの発色現像処理を浸漬方式で行い、漂白定着処理(又は漂白処理、定着処理)を非浸漬方式で行い、乾燥処理を行うこと、（３）カラーペーパーの発色現像処理を浸漬方式で行い、漂白定着処理(又は漂白処理、定着処理)及び安定化処理を非浸漬方式で行い、乾燥処理を行うこと、（４）カラーペーパーの入口側に、処理済みカラーペーパーの出口を設けると共に、両者の高さをほぼ同等としたこと、を特徴とする。
[実施例]」
と訂正するものであるから、明りょうでない記載の釈明に相当するものである。また、この訂正事項ｃは、特許明細書又は図面に記載した事項の範囲内の訂正であり、実質上特許請求の範囲を拡張し又は変更するものでもない。
３．２．独立特許要件について
　異議申立人中森繁雄が提出した甲第１号証〜甲第４号証の２には、本件請求項1に係る発明の特徴である、「カラーペーパーの現像ないし発色現像処理を浸漬方式で行い、これより後の工程の液処理を非浸漬方式で行」う構成（以下、「本件請求項1、4に係る発明の特徴的構成」という。）、「カラーペーパーの発色現像処理を浸漬方式で行い、漂白定着(又は漂白処理、定着処理)を非浸漬方式で行」う構成（以下、「本件請求項2、4に係る発明の特徴的構成」という。）、「カラーペーパーの発色現像処理を浸漬方式で行い、漂白定着(又は漂白処理、定着処理)及び安定化処理を非浸漬方式で行」う構成（以下、「本件請求項3、4に係る発明の特徴的構成」という。）を有しておらずまた上記本件請求項1〜4に係る発明の特徴的構成の示唆もなく、そして、訂正後の本件請求項1〜4に係る発明は、上記本件請求項1〜4に係る発明の特徴的構成により、「乾燥工程での乾燥時間を短縮する」（平成１２年２月１５日付け意見書）効果を有しているので、本件請求項1〜4に係る発明が、上記甲第１号証に記載された発明であるとも、また、上記甲第１号証〜甲第４号証の２に記載された発明に基いて容易に発明できたものともすることができない。
　付言すると、甲第１号証〜甲第４号証の２には、「カラーペーパー」が記載されておらず、従って、甲第１号証〜甲第４号証の２は、上記本件請求項1〜4に係る発明の特徴的構成を用いることによる「乾燥工程での乾燥時間を短縮する」効果を有していない。
　また、平成１２年３月３０日付け取消理由通知で指摘した、特許法第３６条違反については、上記訂正により解消した。
　そうすると、訂正後の本件請求項1〜4に係る発明は、特許出願の際独立して特許を受けることができないものとすることができない。
３．３　訂正の適否の判断
　上記訂正事項は、上記３．１、３．２のとおりであるから、平成６年法律第１１６号附則第６条第１項の規定により、訂正についてなお従前の例によるとされる、改正前の特許法第１２６条第１項ただし書、同条第２項及び同条第３項の規定に適合する。
　従って、当該請求を認める。
４．特許異議申立てについての判断
４．１　訂正後の特許異議申立ての対象となる発明は、上記２．２に記載の本件特許請求項１〜３に係る発明である。
４．２．１　本件特許請求項１〜３に係る発明と甲第１号証〜甲第４号証の２との対比、判断
　本件特許請求項１〜３に係る発明は、独立特許要件を判断した上記３．２と同様に、甲第１号証〜甲第４号証の２に記載された発明であるとも、また、甲第１号証〜甲第４号証の２に記載された発明に基づいて容易に発明できたものともすることができない。
５．むすび
 したがって、特許異議申立ての理由及び証拠によっては、本件請求項１〜３に係る発明の特許を取り消すことはできない。
　また、他に本件請求項１〜３に係る発明の特許を取り消すべき理由を発見しない。
  よって、結論のとおり決定する。
【異議決定日】
平成１２年４月２６日（２０００．４．２６）
【訂正の要旨】
訂正事項ｃ
　特許明細書の請求項３「発色現像処理を浸漬方式で行い、漂白定着処理（又は漂白処理、定着処理）及び安定化処理を非浸漬方式で行うことを特徴とする写真用自動現像機。」を、「カラーペーパーの発色現像処理を浸漬方式で行い、漂白定着（又は漂白理、定着処理）及び安定化処理を非浸漬方式で行い、乾燥処理を行うことを特徴とする写真用自動現像機。」と訂正する。
訂正事項ｄ
　特許明細書の請求項４を削除する。
訂正事項ｅ
　特許明細書の範囲の請求項５を削除する。
訂正事項ｆ
　特許明細書の請求項６「写真感光材料の入口側に、処理済み写真感光材料の出口を設けると共に、両者の高さをほぼ同等としたことを特徴とする請求項１〜５のいずれかに記載の写真用自動現像機。」を、「カラーペーパーの入口側に、処理済みカラーペーパーの出口を設けると共に、両者の高さをほぼ［実施例］」を、
「［課題を解決するための手段］
　本発明の写真用自動現像機は、（１）カラーペーパーの現像ないし発色現像処理を浸漬方法で行い、これより後の工程の液処理を非浸漬方式で行い、乾燥処理を行うこと、（２）カラーペーパーの発色現像処理を浸漬方式で行い、漂白定着処理（又は漂白処理、定着処理）を非浸漬方式で行い、乾燥処理を行うこと、（３）カラーペーパーの発色現像処理を浸漬方式で行い、漂白定着処理（又は漂白処理、定着処理）及び安定化処理を非浸漬方式で行い、乾燥処理を行うこと、（４）カラーペーパーの入口側に、処理済みカラーペーパーの出口を設けると共に、両者の高さをほぼ同等としたこと、を特徴とする。
［実施例］」
と訂正する。
（５４）【発明の名称】
写真用自動現像機
（５７）【特許請求の範囲】
　【請求項１】カラーペーパーの現像ないし発色現像処理を浸漬方式で行い、これより後の工程の
液
　【請求項２】カラーペーパーの発色現像処理を浸漬方式で行い、漂白定着（又は漂白処理、定着処理）を非浸漬方式で行い、乾燥処理を行うことを特徴とする写真用自動現像機。
　【請求項３】カラーペーパーの発色現像処理を浸漬方式で行い、漂白定着（又は漂白処理、定着処理）及び安定化処理を非浸漬方式で行い、乾燥処理を行うことを特徴とする写真用自動現像機。
　【請求項４】カラーペーパーの入口側に、処理済みカラーペーパーの出口を設けると共に、両者の高さをほぼ同等としたことを特徴とする請求項１〜３のいずれかに記載の写真用自動現像機。
【発明の詳細な説明】
［産業上の利用分野］
　本発明は写真感光材料を現像等処理するのに用いられる写真用自動現像機に（以下、自動現像機ということもある。）に関し、特にメンテナンスを容易化・軽減化すると共に、設置面積及び全体体積を減少化するよう改良された自動現像機に関する。
［従来の技術］
　写真感光材料を現像処理するには浸漬・噴霧・塗布などの幾つかの方式があるが、広く一般に行われているのは、タンク式の処理槽の複数を横一連に設けて、それぞれに処理液を貯溜して用意しておき、処理槽内に配備した搬送ラックによって写真感光材料をＵ字状に順次搬送させながら浸漬処理する方式のものである。
　上記のように処理部を横一連に連続的に配置するのが普通の自動現像機であるが、本願出願人は、スリット現像方式の処理部を縦型に配置して処理するものを特願平１−１８１８５８号及び特願平１−１８１８５９号より、ベルト搬送方式の処理部を階段状に設けるものを特願平２−４８７２８号及び特願平２−４８７２９号により、塗布処理方式のもので処理部を縦型ないし傾斜状態で設けるものを特願昭６３−２３１６０８号により提案している。
　上記のように発色現像処理部、漂白定着部域いは、漂白部・定着部）、水洗処理部（或いは安定化処理部）、乾燥処理部など、横一連に直線状に配置するれレイアウトの外、縦型レイアウト、階段状レイアウトその他があるが、各処理部での処理方式は一種で共通しているのが一般的である。
　なお、安定化処理を塗布方式で行い、他をタンク浸漬方式など蚕行う態様、及び中間処理として行う中和処理を塗布方式で行い、他をタンク浸漬方式などで行う態様も知られているが、メンテナンスの容易化、ないし、設置面積の減少化の要請の面から評価すると、これらの態様は、従来の方式と何ら異るものではない。
［発明が解決しようとする課題］
　上記したタンク浸漬方式では、搬送ラックの主要部分は処理液中に浸漬状態にあるが、次工程の搬送ラックへど写真感光材料を受け渡す、所謂渡り部分は処理液液面より上部に位置することから、搬送される写真感光材料によって持ち上げられる処理液がローラーなどに付着して固化・変成し、処理性能に悪影響を与えることがある。このため、定期的に搬送ラックを引き上げ洗浄等のメンテナンスを行う必要があるが、メンテナンス作業はかなり煩雑である。
　上記したように従来の自動現像機では、処理部を横一連に直線状に配置するレイアウトが一般的であるが、その他のレイアウトである場合にも、各処理部での処理方式は、共通の方式が採用されているので、処理部のレイアウトには限界があり、設置面積及び全体体積の減少化には依然として不満が残っている。
　また、メンテナンスや処理性能の問題を考慮するとそれぞれの処理部で同一の処理方式を採用することは得策ではないと考えられる。
　本発明者らは上記の着眼点から、少なくとも発色現像処理部と他の処理部とで処理方式を異なるものにすることにより、メンテナンスの容易化・軽減化・設置面積及び全体体積の減少化などを解決した自動現像機を明らかにしようとするものである。
［課題を解決するための手段］
　本発明の写真用自動現像機は、▲１▼カラーペーパーの現像ないし発色現像処理を浸漬方法で行い、これより後の工程の液処理を非浸漬方式で行い、乾燥処理を行うこと、▲２▼カラーペーパーの発色現像処理を浸漬方式で行い、漂白定着処理（又は漂白処理、定着処理）を非浸漬方式で行い、乾燥処理を行うこと、▲３▼カラーペーパーの発色現像処理を浸漬方式で行い、漂白定着処理（又は漂白処理、定着処理）及び安定化処理を非浸漬方式で行い、乾燥処理を行うこと、▲４▼カラーペーパーの入口側に、処理済みカラーペーパーの出口を設けると共に、両者の高さをほぼ同等としたこと、を特徴とする。
［実施例］
　次に、本発明の自動現像機を、添付の図面に示す実施例に従って詳細に説明する。尚、被処理感光材料がハロゲン化銀カラー写真感光材料である場合を主に説明する。
　第１図において、１０は発色現像処理部であり、タンク式の処理槽であり、処理液を貯溜すると共に、搬送ラック１１を配置して写真感光材料Ｐを矢符方向に搬送しながら浸漬処理する。２０は、漂白定着処理部であり、搬送されてくる写真感光材料Ｐに対し漂白定着液を噴霧方式の供給手段２１により供給して処理するものである。３０は安定化処理部であり、噴霧方式の供給手段３１により安定化処理液を供給して処理を行う。尚、安定化処理部３０では水洗処理を行うものであってもよい。４０は乾燥処理部であり、ヒーター４１ないし乾燥風供給手段により乾燥を行う。
　第２図〜第６図は、処理部のレイアウトの異なる態様を示した。なお、図中において符号１２は写真感光材料Ｐを発色現像部１０に案内する装置である。
　また、第１図〜第３図及び第６図に示す漂白定着処理部２０及び安定化処理部３０において噴霧方式を採用して、写真感光材料Ｐは直線状に搬送されるように図示されているが、行路を長くとるか、或いは、処理部内で蛇行するよう搬送して、各処理部での処理時間が共通になるよう設定する必要がある。
　第４図及び第５図においては、安定化処理部３０でもタンク処理方式を採用している。更に、第５図に示す態様では、安定化処理を２回行う方式を採用している。
　写真用感光材料の種類により処理の工程に差がある。例えば、カラーペーパーの場合には、一般に、発色現像、漂白定着、水洗（安定）であるが、カラーネガフィルムの場合には、一般に、漂白と定着は別工程で行われ、モノクロ写真の場合には、一般に、現像、定
着、水洗（安定）である。
　本発明が採用される代表的な態様は、Ａ、現像ないし発色現像処理のみを浸漬方式で行い、これより後の工程をこれ以外の方式で行う態様、Ｂ、定着ないし漂白定着処理のみを浸漬処理以外の方式で行う態様、である。
　現像ないし発色現像処理を浸漬処理で行うのは、この工程が最も処理性能を左右することから、浸漬処理方式による場合の処理性能の安定性に期待するからである。
　なお、ここで浸漬方式とは、第１図に示すように処理槽中に搬送ラックを配置して写真感光材料ＰをＵ字状に浸漬搬送する態様に限らず、水平搬送や若干下側に湾曲して搬送する所謂スリット搬送の態様を包含する。
　一般に、搬送ラックによるにせよスリット搬送によるにせよ、浸漬方式のものは、メンテナンスが煩雑であり、本発明の自動現像機のように、浸漬方式を現像（発色現像）処理の場合に限定すれば、メンテナンスは極めて容易化することが可能である。殊に、非浸漬方式の場合には、搬送ローラーの数を極端に減少位することができ、それも、例えば、定期的に散水手段により搬送ローラーに散水するだけで洗浄を符うことができるほどメン
テナンスを容易化することもが可能となる。
　また、浸漬方式と非浸漬方式とを組み合わせることにより、装置のレイアウトを様々に設計可能となり、設置面積を減少化するのに極めて有効である。
［発明の効果］
　本発明に係る自動現像機は、上記したようにメンテナンスと容易化、設置面積及び全体体積の減少化に極めて有効に働くものであり、頭記した課題が解決される。
【図面の簡単な説明】
第１図〜第６図は本発明の自動現像機を示す概略図である。
図中において、各符号は下記を指示する。
Ｐ……写真感光材料
１０……発色現像処理部
１１……搬送ラック
１２……案内装置
２０……漂白定着処理部
２１……処理液供給手段
３０……安定化処理部
３１……処理液供給手段
４０……乾燥処理部
４１……ヒーター